(57)【要約】【課題】  ヘアデザインの基礎となるカット等の頭部の展開図を手書きで作成する際に補助的に使用される。カット等の頭部の展開図の手書きによる作成作業を容易にする。【解決手段】  少なくとも首から上の頭部の外郭を筆記具で記すのを案内するアウタライン用テンプレート１と、頭部の毛髪の生え際を筆記具で記すのを案内するインナライン用テンプレート２とを備えている。アウタライン用テンプレート１，インナライン用テンプレート２には、頭部の正中線を規定する位置決め部１２，２２が設けられている。【選択図】        図１
2009119094.tif 000002
【特許請求の範囲】
【請求項１】
少なくとも首から上の頭部の外郭を筆記具で記すのを案内するアウタライン用テンプレートと、頭部の毛髪の生え際を筆記具で記すのを案内するインナライン用テンプレートとを備え、アウタライン用テンプレート及びインナライン用テンプレートには頭部の正中線を規定する位置決め部が設けられていることを特徴とするヘアデザイン用補助具。
【請求項２】
請求項１のヘアデザイン用補助具において、アウタライン用テンプレート及びインナライン用テンプレートは少なくとも一方に直線状の補助線が表示されていることを特徴とするヘアデザイン用補助具。
【請求項３】
請求項１または２のヘアデザイン用補助具において、アウタライン用テンプレート及びインナライン用テンプレートは少なくとも一方の縁辺に指の断面形状を筆記具で記すのを案内する指表示部が設けられていることを特徴とするヘアデザイン用補助具。
【請求項４】
請求項１〜３のいずれかのヘアデザイン用補助具において、アウタライン用テンプレート及びインナライン用テンプレートは一枚のプレート材に共通化されていることを特徴とするヘアデザイン用補助具。
【請求項５】
請求項１〜４のいずれかのヘアデザイン用補助具において、アウタライン用テンプレート及びインナライン用テンプレートは頭部の異なる角度からの複数組がセットされていることを特徴とするヘアデザイン用補助具。
【発明の詳細な説明】
【技術分野】
【０００１】
本発明は、ヘアデザインの基礎となるカット等の頭部の展開図を手書きで作成する際に補助的に使用されるヘアデザイン用補助具に係る技術分野に属する。
【背景技術】
【０００２】
ヘアデザインについては、ブロッキングした解説，学習，練習等のために基礎となるカット等の頭部の展開図が手書きで作成される。最近のカット，染色，ブロー等の理美容技術の向上や理美容器具の改良は、ヘアデザインの独創性化，複雑化をもたらし、カット等の頭部の展開図の作成で何枚も書直す作業が強いられることが多くなってきている。このため、カット等の頭部の展開図の作成を容易にする器具類の開発が要望されている。
【０００３】
従来、ヘアデザインに係る技術としては、例えば、以下に記載のものが知られている。
下記特許文献１には、表示装置にカット等の頭部の展開図を表示し、情報格納装置から読出したデータを利用して表示装置におけるカット等の頭部の展開図の表示を加工，変更してヘアデザインを行うヘアデザインシステムの技術が記載されている。
下記特許文献２には、毛髪の外郭線と毛髪の生え際の線と顔面の比率を重要な構成要素としてヘアデザインを行うヘアデザイン評価の技術が記載されている。
【特許文献１】特開平２００４−２２０６１７号公報
【特許文献２】特許第３９２７５６９号公報
【発明の開示】
【発明が解決しようとする課題】
【０００４】
特許文献１に係るヘアデザインシステムの技術では、具体的な汎用品としてパーソナルコンピュータに実現されることになるが、パーソナルコンピュータの操作に熟練しないとかえってカット等の頭部の展開図の作成が面倒になってしまうという問題点がある。また、また、特許文献２に係るヘアデザイン評価の技術では、頭部，顔面における各種のラインがヘアデザインの重要な構成要素として着目されているものの、手書きで作成されるカット等の頭部の展開図への適用が全く考慮されていないという問題点がある。
【０００５】
本発明は、このような問題点を考慮してなされたもので、ヘアデザインの基礎となるカット等の頭部の展開図を手書きで作成する際に補助的に使用されて作成作業を容易にするヘアデザイン用補助具を提供することを課題とする。
【課題を解決するための手段】
【０００６】
前述の課題を解決するため、本発明に係るヘアデザイン用補助具は、特許請求の範囲の各請求項に記載の手段を採用する。
【０００７】
即ち、請求項１では、少なくとも首から上の頭部の外郭を筆記具で記すのを案内するアウタライン用テンプレートと、頭部の毛髪の生え際を筆記具で記すのを案内するインナライン用テンプレートとを備え、アウタライン用テンプレート，インナライン用テンプレートには頭部の正中線を規定する位置決め部が設けられていることを特徴とする。
【０００８】
この手段では、少なくとも首から上の頭部の外郭と頭部の毛髪の生え際とをカット等の頭部の展開図を作成するための基本的ラインとしてとらえ、位置決め部が設けられたアウタライン用テンプレート，インナライン用テンプレートを使用することで、基本的ラインを調整しながら筆記具で記すのを案内して手書きを補助する。
【０００９】
また、請求項２では、請求項１のヘアデザイン用補助具において、アウタライン用テンプレート，インナライン用テンプレートは少なくとも一方に直線状の補助線が表示されていることを特徴とする。
【００１０】
この手段では、カット等の頭部の展開図の作成で引出線等の補助ラインを記す際にアウタライン用テンプレート，インナライン用テンプレートを定規として使用することで、補助線を角度の案内等として利用することができる。
【００１１】
また、請求項３では、請求項１または２のヘアデザイン用補助具において、アウタライン用テンプレート，インナライン用テンプレートは少なくとも一方の縁辺に指の断面形状を筆記具で記すのを案内する指表示部が設けられていることを特徴とする。
【００１２】
この手段では、カット等の頭部の展開図の作成で引出線等の補助ラインの角度を記す際にアウタライン用テンプレート，インナライン用テンプレートを定規として使用することで、指表示部を補助線の角度表示の記入として利用することができる。
【００１３】
また、請求項４では、請求項１〜３のいずれかのヘアデザイン用補助具において、アウタライン用テンプレート，インナライン用テンプレートは一枚のプレート材に共通化されていることを特徴とする。
【００１４】
この手段では、アウタライン用テンプレート，インナライン用テンプレートが一枚のプレート材に共通化されることで、アウタライン用テンプレート，インナライン用テンプレートの分散が避けられる。
【００１５】
また、請求項５では、請求項１〜４のいずれかのヘアデザイン用補助具において、アウタライン用テンプレート，インナライン用テンプレートは頭部の異なる角度からの複数組がセットされていることを特徴とする。
【００１６】
この手段では、アウタライン用テンプレート，インナライン用テンプレートが頭部の異なる角度からの複数組がセットされることで、カット等の頭部の展開図を頭部の異なる角度から作成することができる。
【発明の効果】
【００１７】
本発明に係るヘアデザイン用補助具は、少なくとも首から上の頭部の外郭と頭部の毛髪の生え際とをカット等の頭部の展開図を作成するための基本的ラインとしてとらえ、位置決め部が設けられたアウタライン用テンプレート，インナライン用テンプレートを使用することで、基本的ラインを調整しながら筆記具で記すのを案内して手書きを補助するため、ヘアデザインの基礎となるカット等の頭部の展開図を手書きで作成する際に補助的に使用されて作成作業を容易にすることができる効果がある。
【００１８】
さらに、請求項２として、カット等の頭部の展開図の作成で引出線等の補助ラインを記す際にアウタライン用テンプレート，インナライン用テンプレートを定規として使用することで、補助線を補助ラインの角度の案内等として利用することができるため、カット等の頭部の展開図を精密に作成することができる効果がある。
【００１９】
さらに、請求項３として、カット等の頭部の展開図の作成で引出線等の補助ラインの角度を記す際にアウタライン用テンプレート，インナライン用テンプレートを定規として使用することで、指表示部を補助ラインの角度表示の記入として利用することができるため、カット等の頭部の展開図を理解しやすいように簡単に作成することができる効果がある。
【００２０】
さらに、請求項４として、アウタライン用テンプレート，インナライン用テンプレートが一枚のプレート材に共通化されることで、アウタライン用テンプレート，インナライン用テンプレートの分散が避けられるため、アウタライン用テンプレート，インナライン用テンプレートの紛失等が防止される効果がある。
【００２１】
さらに、請求項５として、アウタライン用テンプレート，インナライン用テンプレートが頭部の異なる角度からの複数組がセットされることで、カット等の頭部の展開図を頭部の異なる角度から作成することができるため、ヘアデザインをブロッキングした解説，学習，練習等により正確性をもたらすことができる効果がある。
【発明を実施するための最良の形態】
【００２２】
以下、本発明に係るヘアデザイン用補助具を実施するための最良の形態を図面に基づいて説明する。
【００２３】
図１〜図１５は、本発明に係るヘアデザイン用補助具を実施するための最良の形態の第１例を示すものである。
【００２４】
第１例では、６組１２枚のプレート材からなるものを示してある。
【００２５】
第１例は、図１に示すように、正面組Ａ，前部側面組Ｂ，側面組Ｃ，後部側面組Ｄ，後面組Ｅ，上面組Ｆの６組がセットされている。
【００２６】
正面組Ａは、図２に示すように、頭部の正面からの角度におけるカット等の頭部の展開図の作成に供するもので、アウタライン用テンプレート１とインナライン用テンプレート２との薄い合成樹脂材のプレート材からなる。アウタライン用テンプレート１は、ほぼ長方形に形成され、中央部に切抜窓形に首から上の頭部の外郭を筆記具で記すのを案内するアウタライン案内部１１が設けられ、アウタライン案内部１１の周囲の中心部に頭部の上下方向の正中線を規定する太線状の位置決め部１２が印刷表示等で設けられ、アウタライン案内部１１の周囲の全面に碁盤目状と４５度の斜線とからなる細線状の補助線１３が印刷表示等で設けられ、アウタライン案内部１１の周囲の一部分に正面組Ａであることを明示するための組表示１４が印刷表示等で設けられ、一つの縁辺に指の断面形状を筆記具で記すのを案内する指表示部１５が切込み形成されている。指表示部１５は、指の腹側の半部の腹側指表示部１５ａと、指の甲側の半部の甲側指表示部１５ｂとからなる。インナライン用テンプレート２は、外縁が頭部の毛髪の生え際と顔面の一部（顎）を筆記具で記すのを案内するインナライン案内部２１となった異形の丸形に形成され、中心部に頭部の上下方向の正中線を規定する太線状の位置決め部２２が印刷表示等で設けられ、全面に碁盤目状と４５度の斜線とからなる細線状の補助線２３が印刷表示等で設けられている。
【００２７】
前部側面組Ｂは、図３に示すように、頭部の前４５度の側面からの角度におけるカット等の頭部の展開図の作成に供するもので、アウタライン用テンプレート１とインナライン用テンプレート２との薄い合成樹脂材のプレート材からなる。これ等のアウタライン用テンプレート１，インナライン用テンプレート２は、前述の正面組Ａの基本構成と同じである。ただし、インナライン用テンプレート２のインナライン案内部２１は、頭部の毛髪の生え際のみを筆記具で記すのを案内するようになっている。
【００２８】
側面組Ｃは、図４に示すように、頭部の真側面からの角度におけるカット等の頭部の展開図の作成に供するもので、アウタライン用テンプレート１とインナライン用テンプレート２との薄い合成樹脂材のプレート材からなる。これ等のアウタライン用テンプレート１，インナライン用テンプレート２は、前述の正面組Ａの基本構成と同じである。ただし、インナライン用テンプレート２のインナライン案内部２１は、頭部の毛髪の生え際のみを筆記具で記すのを案内するようになっている。
【００２９】
後部側面組Ｄは、図５に示すように、頭部の後４５度の側面からの角度におけるカット等の頭部の展開図の作成に供するもので、アウタライン用テンプレート１とインナライン用テンプレート２との薄い合成樹脂材のプレート材からなる。これ等のアウタライン用テンプレート１，インナライン用テンプレート２は、前述の正面組Ａの基本構成と同じである。ただし、インナライン用テンプレート２のインナライン案内部２１は、頭部の毛髪の生え際のみを筆記具で記すのを案内するようになっている。
【００３０】
後面組Ｅは、図６に示すように、頭部の後面からの角度におけるカット等の頭部の展開図の作成に供するもので、アウタライン用テンプレート１とインナライン用テンプレート２との薄い合成樹脂材のプレート材からなる。これ等のアウタライン用テンプレート１，インナライン用テンプレート２は、前述の正面組Ａの基本構成と同じである。ただし、インナライン用テンプレート２のインナライン案内部２１は、頭部の毛髪の生え際のみを筆記具で記すのを案内するようになっている。
【００３１】
上面組Ｆは、図７に示すように、頭部の上面からの角度におけるカット等の頭部の展開図の作成に供するもので、アウタライン用テンプレート１とインナライン用テンプレート２との薄い合成樹脂材のプレート材からなる。これ等のアウタライン用テンプレート１，インナライン用テンプレート２は、前述の正面組Ａの基本構成と同じである。ただし、インナライン用テンプレート２のインナライン案内部２１は、頭部の毛髪の生え際のみを筆記具で記すのを案内するようになっている。また、アウタライン用テンプレート１の位置決め部１２とインナライン用テンプレート２の位置決め部２２とは、頭部の前後方向の正中線を規定するものとなっている。
【００３２】
第１例の正面組Ａを使用するには、図８（Ａ）に示すように、ノート，スケッチブック等の用紙３にアウタライン用テンプレート１を当てる。そして、アウタライン用テンプレート１のアウタライン案内部１１に沿って用紙３に筆記具で首から上の頭部の外郭であるアウタラインａを記すとともに、アウタライン用テンプレート１の位置決め部１２を目印にしてアウタラインａの近くに用紙３に筆記具で頭部の上下方向の正中線上に位置するポイントｂを２箇所に記す。アウタラインａ，ポイントｂは、用紙３において図８（Ｂ）に示すような状態で記されることになる。この後、図８（Ｃ）に示すように、用紙３に筆記具で２箇所のポイントｂを中通過する直線である頭部の上下方向の正中線ｃを記す。
【００３３】
続いて、図９（Ａ）に示すように、用紙３に記された正中線ｃにインナライン用テンプレート２を当て、正中線ｃとインナライン用テンプレート２の位置決め部２２とを一致させる。そして、インナライン用テンプレート２のインナライン案内部２１に沿って頭部の毛髪の生え際と顔面の一部であるインナラインｄを記す。インナラインｄは、用紙３において図９（Ｂ）に示すような状態で記されることになる。
【００３４】
この結果、図１０に示すように、用紙３に筆記具でアウタラインａ，インナラインｄからさらに引出線等の補助ラインｅを記すことにより、ヘアデザインのブロッキングした解説，学習，練習等のために基礎となるカット等の頭部の展開図を作成することができる。
【００３５】
このとき、アウタライン用テンプレート１，インナライン用テンプレート２を定規として使用することで、アウタライン用テンプレート１の補助線１３やインナライン用テンプレート２の補助線２３を補助ラインｅの角度の案内等として利用することができるため、カット等の頭部の展開図を精密に作成することができる。また、アウタライン用テンプレート１，インナライン用テンプレート２を定規として使用することで、指表示部１５を補助ラインｅの角度表示の記入ｆ（実務的に指１本を１５度の表示としている）として利用することができるため、カット等の頭部の展開図を理解しやすいように簡単に作成することができる。なお、指表示部１５については、腹側指表示部１５ａ，甲側指表示部１５ｂを合わせると指の断面となるように設定されているため、腹側指表示部１５ａ，甲側指表示部１５ｂのいずれか一方のみで補助ラインｅの角度表示の記入ｆを記すようにすることも可能である。
【００３６】
ヘアデザインの基本的ラインとなるアウタラインａ，インナラインｄについては、アウタライン用テンプレート１，インナライン用テンプレート２を使用することによって、手書きであるものの、フリーハンドで記すよりも正確に多数枚の用紙３にも簡単に記すことができる。従って、ヘアデザインの独創性化，複雑化によって、カット等の頭部の展開図の作成で何枚も書直す作業が要求される場合でも、充分に対応することができる。
【００３７】
なお、インナラインｄを記す際に、正中線ｃに沿ってインナライン用テンプレート２を上下させることで、アウタラインａ，インナラインｄの間隔を微調整すると、特許文献２に開示されるような比率の構成要素の評価を実現することができる。
【００３８】
前部側面組Ｂ，側面組Ｃ，後部側面組Ｄ，後面組Ｅ，上面組Ｆにおけるアウタラインａ，インナラインｄ等については、図１１〜図１５に示されるようになる。ただし、上面組Ｆにおける正中線ｃは、頭部の前後方向のものとなる。
【００３９】
前述の６組のセットは、カット等の頭部の展開図を頭部の異なる角度から作成することができるため、ヘアデザインをブロッキングした解説，学習，練習等により正確性をもたらすことができる。
【００４０】
図１６は、本発明に係るヘアデザイン用補助具を実施するための最良の形態の第２例を示すものである。
【００４１】
第２例は、正面組Ａのアウタライン用テンプレート１，インナライン用テンプレート２を一枚のプレート材に共通化している。即ち、インナライン用テンプレート２のインナライン案内部２１を切抜窓形としてある。
【００４２】
第２例によると、アウタライン用テンプレート１，インナライン用テンプレート２の分散が避けられるため、アウタライン用テンプレート１，インナライン用テンプレート２の紛失等が防止される。
【００４３】
この第２例については、前部側面組Ｂ，側面組Ｃ，後部側面組Ｄ，後面組Ｅ，上面組Ｆについても同様に構成することができる。また、正面組Ａから上面組Ｆまでの全てを一枚のプレート材に共通化することも可能である。
【００４４】
以上、図示した各例の外に、アウタライン用テンプレート１をアウタライン案内部１１が外縁に設けられたプレート材とすることも可能である。
【００４５】
さらに、アウタライン用テンプレート１の位置決め部１１とインナライン用テンプレート２の位置決め部２２を小孔，突起，切込等とすることも可能である。
【００４６】
さらに、頭部の他の角度におけるカット等の頭部の展開図の作成に供する組をセットすることも可能である。
【産業上の利用可能性】
【００４７】
本発明は、主としてヘアデザインナーがヘアデザインをノートや画用紙などに描く際に使用するヘアデザイン用補助具であるが、全体を大きなサイズに形成すれば黒板に頭部の展開図を容易に描くことが可能となって、これをベースにその上にヘアデザインする際のカット方法などを描いて説明することができるので、理美容学校における講義において、教師が使用することも可能である。
【図面の簡単な説明】
【００４８】
【図１】本発明に係るヘアデザイン用補助具を実施するための最良の形態の第１例の斜視図である。
【図２】図１の一部の正面図である。
【図３】図１の他の一部の正面図である。
【図４】図１の他の一部の正面図である。
【図５】図１の他の一部の正面図である。
【図６】図１の他の一部の正面図である。
【図７】図１の他の一部の正面図である。
【図８】図１の一部の使用例を示すもので、（Ａ）〜（Ｃ）に使用手順が示されている。
【図９】図１の一部の使用例を示すもので、（Ａ），（Ｂ）に図８に続く使用手順が示されている。
【図１０】図９の使用手順の後のヘアデザインの基礎となるカット等の頭部の展開図の作成例の正面図である。
【図１１】図１の他の一部の図９（Ｂ）に相当する図である。
【図１２】図１の他の一部の図９（Ｂ）に相当する図である。
【図１３】図１の他の一部の図９（Ｂ）に相当する図である。
【図１４】図１の他の一部の図９（Ｂ）に相当する図である。
【図１５】図１の他の一部の図９（Ｂ）に相当する図である。
【図１６】本発明に係るヘアデザイン用補助具を実施するための最良の形態の第２例の正面図であるである。
【符号の説明】
【００４９】
１            アウタライン用テンプレート
１１          アウタライン案内部
１２          位置決め部
１３          補助線
１５          指表示部
２            インナライン用テンプレート
２１          アウタライン案内部
２２          位置決め部
２３          補助線
ａ            アウタライン
ｃ            正中線
ｄ            インナライン
ｅ            補助ライン
【図１】
2009119094.tif 000003
【図２】
2009119094.tif 000004
【図３】
2009119094.tif 000005
【図４】
2009119094.tif 000006
【図５】
2009119094.tif 000007
【図６】
2009119094.tif 000008
【図７】
2009119094.tif 000009
【図８】
2009119094.tif 000010
【図９】
2009119094.tif 000011
【図１０】
2009119094.tif 000012
【図１１】
2009119094.tif 000013
【図１２】
2009119094.tif 000014
【図１３】
2009119094.tif 000015
【図１４】
2009119094.tif 000016
【図１５】
2009119094.tif 000017
【図１６】
2009119094.tif 000018